(57)【要約】      （修正有）【課題】オフィスチェアに取付けられ、任意の角度に変位することができ、頭部や頚部の疲労を緩和するシート枕を提供する。【解決手段】後頭部を支持する支持面２と、支持面を上端で固定する支持棒１と、支持棒の下端に設けられる固定部材３からなる。支持棒１の下端に、支持面の高さ調節を可能にする垂直部１２が形成され、固定部材３の貫通孔に差し込まれる。【選択図】図２
0003168723.tif 000002
【実用新案登録請求の範囲】
【請求項１】
シート枕の支持棒とシート枕の支持棒の上端に固定される支持面からなり、下端に、固定部材が設けられ、シート枕の支持棒と固定部材とが、調節可能に結合され、固定部材が、シートの背凭れの上端に固定され、シート枕の支持棒の材料として、ＭＣナイロンが利用されることを特徴とするシート枕。
【請求項２】
上記シート枕の支持棒は、上端の湾曲部と下端の垂直部が含まれ、上記垂直部が、固定部材に挿設されることを特徴とする請求項１に記載のシート枕。
【請求項３】
上記垂直部は、一列の凹槽が形成され、また、固定部材に、バネによって付勢されて凹槽内に突入する突出部が、設けられることを特徴とする請求項２に記載のシート枕。
【請求項４】
上記垂直部は、一列の貫通孔が形成され、固定部材に設けられてバネにより付勢された突出部が、貫通孔内に突入することを特徴とする請求項２に記載のシート枕。
【請求項５】
上記垂直部は、歯形定位尺が形成され、固定部材に、歯形定位尺に係止できる係止部が形成されることを特徴とする請求項２に記載のシート枕。
【請求項６】
上記固定部材は、垂直部に抵当するネジ摘みが設置されることを特徴とする請求項２に記載のシート枕。
【請求項７】
上記凹槽は、円形状や四方形状或いは楕円形状であることを特徴とする請求項３に記載のシート枕。
【請求項８】
上記垂直部は、最上端と最下端に、抵当ブロックが設けられ、固定部材の下端に、固定尺が設置されることを特徴とする請求項２に記載のシート枕。
【請求項９】
上記固定部材は、ネジや粘着、半田付け或いは鋲着により、シートの背凭れの上端に実装されることを特徴とする請求項１に記載のシート枕。
【請求項１０】
上記支持面は、柔軟の布材料曲面や布材料平面、網材料曲面、網材料平面、革材料曲面或いは革材料平面からなることを特徴とする請求項１に記載のシート枕。
【考案の詳細な説明】
【技術分野】
【０００１】
本考案は、オフィス家具用品に関し、特に、シート枕に関する。
【背景技術】
【０００２】
オフィスで働く人々は、その多くが、長時間にコンピュータに面して仕事を行って、頭部や頚椎或いは脊椎が使い過ぎるため、その疲れが取り消すことができなく、また、頚椎炎症等の病気になる恐れがある。そのため、オフィスチェアに、シート枕が付けられるが、シート枕が、完全に固定されて、任意に調節することができなく、頭部や頚部を快適することができなくて、疲労を解消することができないため、実用的とはいえない。また、他のシート枕は、簡単に調節できるが、頭部が動くと、シート枕は、頭部に追従して任意角度に、変位する事ができないため、より快適的になるシート枕が、大勢の人から要請されている。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案は、上記の既存の技術にある諸欠点を解消するため、任意角度に変位でき、より快適になるシート枕を提供する。
【課題を解決するための手段】
【０００５】
本考案は、シート枕の支持棒とシート枕の支持棒の上端に固定される支持面からなるシート枕であって、上記シート枕の支持棒の下端に、固定部材が設けられ、シート枕の支持棒と固定部材とが、調節可能に結合され、固定部材が、シートの背凭れの上端に固定され、シート枕の支持棒の材料として、ＭＣナイロン（Ｍｏｎｏｍｅｒ  ｃａｓｔｉｎｇ  ｎｙｌｏｎ）が利用されるシート枕である。
【０００６】
本考案によれば、上記シート枕の支持棒は、上端にある湾曲部と下端にある垂直部からなり、垂直部に固定部材が挿設される。
【０００７】
以下のように、“シート枕の支持棒と固定部材とにより、高さを調節可能に結合される”具体的な構造がある。
【０００８】
上記垂直部に、一列の凹槽が形成され、また、固定部材に、バネによって付勢されて凹槽内に突入する突出部が設けられる。垂直部を上へ引くことや下へ押えることにより、シート枕の高さを調節できる。
【０００９】
上記垂直部に、一列の貫通孔が形成され、また、固定部材に、バネによって付勢されて貫通孔内に突入する突出部が設けられる。垂直部を上へ引くことや下へ押えることにより、シート枕の高さを調節できる。
【００１０】
上記垂直部に、歯形定位尺が設置され、固定部材に、上記歯形定位尺に噛み合う係止部が設けられる。係止部の噛合いを解除すると、シート枕の高さを調節できる。
【００１１】
上記固定部材に、垂直部に抵当するようにネジ摘みが設置される。ネジ摘みを弛めると、シート枕の高さを調節できる。
【００１２】
上記凹槽と貫通孔は、円形状や四方形状或いは楕円形状であるが、他の形状でもよい。
【００１３】
上記歯形定位尺は、歯形が、三角形や矩形或いは台形であるが、他の形状でもよい。
【００１４】
上記垂直部は、最上端と最下端に、抵当ブロックが設けられ、また、固定部材の下端に固定尺が設置される。垂直部が、固定部材に貫設した後、固定部材の下端に、固定尺が実装され、これにより、抵当ブロックにより、垂直部の上下へ変位する距離が制限される。
【００１５】
上記固定部材が、シートの背凭れの上端に実装される方法として、ネジ結合や粘着、半田付け或いは鋲着等を例として挙げることができる。
【００１６】
上記支持面は、柔軟の布材料曲面や布材料平面、網材料曲面、網材料平面、革材料曲面或いは革材料平面であり、柔軟材料により、頭部と頚部の快適性がより向上される。
【００１７】
本考案によれば、従来の技術に対して、次の利点が得られ、本考案に係るシート枕は、シート枕の支持棒の下端に固定部材が設けられ、シート枕の支持棒と固定部材とが、高さ調節可能に結合され、固定部材が、シートの背凭れの上端に固定され、シート枕の支持棒の材料が、ＭＣナイロンであり、そのため、人々の頭に応じ調節でき、より快適的になり、また、シート枕の支持棒の材料が、新鋭性を有するＭＣナイロンを利用し、ＭＣナイロンの軽量や高強度、耐磨耗、防食、絶縁、そして、ＭＣナイロンの優れた変形性能により、シート枕は、頭部や頚部に応じて任意角度に変位でき、また、前後左右に変位できるため、快適性が大幅に向上され、頭部や頚部の疲労を緩和できる。
【００１８】
以下、図面を参照しながら、本考案の特徴や技術内容について、詳しく説明するが、それらの図面等は、参考や説明のためであり、本考案は、それによって制限されることが無い。
【考案を実施するための形態】
【００１９】
実施例１
図１と図２に示されたシート枕は、シート枕の支持棒１とシート枕の支持棒１の上端に固定結合された支持面２が含まれ、シート枕の支持棒１の下端に、固定部材３が設置され、シート枕の支持棒１と固定部材３とが、高さを調節可能に結合され、固定部材３が、シートの背凭れ９の上端に固定され、シート枕の支持棒１の材料は、ＭＣナイロンである。
【００２０】
シート枕の支持棒１は、上端に位置する湾曲部１１と下端に位置する垂直部１２が含まれ、垂直部１２が、固定部材３に挿設される。
【００２１】
垂直部１２は、一列の円形状凹槽４が形成され、固定部材３に、バネ５１によって付勢されて円形状凹槽４内に突入する突出部５が設置される。垂直部１２を上へ引くことや下へ押えることにより、シート枕の高さを調節できる。
【００２２】
垂直部１２は、最上端と最下端に、抵当ブロック６が設けられ、固定部材３の下端に、固定尺７が設置される。垂直部１２が、固定部材３に貫設された後、固定部材３の下端に固定尺７を実装すると、抵当ブロック６により、垂直部１２の上下変位する距離が、制限される。
【００２３】
固定部材３は、ネジ結合により、シートの背凭れ９の上端に実装される。
【００２４】
支持面２は、柔軟の網材料曲面からなり、柔軟材料により、頭部と頚部が、より快適的になる。
【００２５】
実施例２
図３のように、垂直部１２に、一列の貫通孔４ａが形成され、固定部材３に、バネ５１によって付勢されて貫通孔４ａ内に突入する突出部５が形成される。垂直部１２を上へ引くことや下へ押えることにより、シート枕の高さを調節でき、その他、実施例１と同じになる。
【００２６】
実施例３
図４のように、垂直部１２に、歯形定位尺４ｂが形成され、固定部材３に、歯形定位尺４ｂに係止される係止部５ｂが形成される。係止部５ｂの噛合いを解除すると、シート枕の高さを調節できる。歯形定位尺４ｂは、歯形が三角形や矩形或いは台形であるが、他の形状でもよく、その他、実施例１と同じになる。
【００２７】
実施例４
図５のように、固定部材３に、垂直部１２に抵当するようにネジ摘み５ｃが設けられる。ネジ摘み５ｃを弛めると、シート枕の高さを調節でき、その他、実施例１と同じになる。
【００２８】
そのため、本考案は、より進歩的かつより実用的で、法に従って実用新案登録請求を出願する。
【００２９】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３０】
【図１】本考案の実施例１の構造概念図
【図２】図１の構造分解図
【図３】本考案の実施例２の構造分解図
【図４】本考案の実施例３の構造分解図
【図５】本考案の実施例４の構造分解図
【符号の説明】
【００３１】
１    支持棒
２    支持面
３    固定部材
４    凹槽
４ａ    貫通孔
４ｂ    歯形定位尺
５     突出部
５ｂ    係止部
５ｃ    ネジ摘み
６     抵当ブロック
７     固定尺
９     背凭れ
１１    湾曲部
１２    垂直部
５１    バネ
【図１】
0003168723.tif 000003
【図２】
0003168723.tif 000004
【図３】
0003168723.tif 000005
【図４】
0003168723.tif 000006
【図５】
0003168723.tif 000007
【手続補正書】
【提出日】平成23年4月28日(2011.4.28)
【手続補正１】
【補正対象書類名】実用新案登録請求の範囲
【補正対象項目名】全文
【補正方法】変更
【補正の内容】
【実用新案登録請求の範囲】
【請求項１】
後頭部を支持する支持面を上端で固定し、支持面の高さを調整可能とした機構を有する垂直部を形成した支持棒から成り、該後頭部を固定した支持棒の垂直部を固定部材に形成された貫通孔に差し込み、深度を調節可能に貫通することができる構成としたことを特徴とするシート枕。
【請求項２】
上記シート枕の支持棒は、上端の支持面固定部と下端の垂直部が含まれ、上記垂直部が、固定部材に挿設されることを特徴とする請求項１に記載のシート枕。
【請求項３】
上記垂直部に形成した支持棒の高さ調整可能とした機構は、一列の凹槽が形成され、また、固定部材に、バネによって付勢されて凹槽内に突入する突出部が、設けられることを特徴とする請求項２に記載のシート枕。
【請求項４】
上記垂直部に形成した支持棒の高さ調整可能とした機構は、一列の貫通孔が形成され、固定部材に設けられてバネにより付勢された突出部が、貫通孔内に突入することを特徴とする請求項２に記載のシート枕。
【請求項５】
上記垂直部に形成した支持棒の高さ調整可能とした機構は、歯形定位尺が形成され、固定部材に、歯形定位尺に係止できる係止部が形成されることを特徴とする請求項２に記載のシート枕。
【請求項６】
上記固定部材は、垂直部に抵当するネジ摘みが設置されることを特徴とする請求項２に記載のシート枕。
【請求項７】
上記凹槽は、円形状や四方形状或いは楕円形状であることを特徴とする請求項３に記載のシート枕。
【請求項８】
上記垂直部は、最上端と最下端に、抵当ブロックが設けられ、固定部材の下端に、固定尺が設置されることを特徴とする請求項２に記載のシート枕。
【請求項９】
上記固定部材は、ネジや粘着、半田付け或いは鋲着により、シートの背凭れの上端に実装されることを特徴とする請求項１に記載のシート枕。
【請求項１０】
上記支持面は、柔軟の布材料曲面や布材料平面、網材料曲面、網材料平面、革材料曲面或いは革材料平面からなることを特徴とする請求項１に記載のシート枕。
【手続補正２】
【補正対象書類名】明細書
【補正対象項目名】０００５
【補正方法】変更
【補正の内容】
【０００５】
本考案は、シート枕の支持棒とシート枕の支持棒の上端に固定される支持面からなるシート枕であって、上記シート枕の支持棒の下端に、固定部材が設けられ、シート枕の支持棒と固定部材とが、調節可能に結合され、固定部材が、シートの背凭れの上端に固定され、シート枕の支持棒の材料として、軽量や高強度、耐磨耗、防食、絶縁等に優れ、しかも変形性能を備えるものが利用されるシート枕である。
【手続補正３】
【補正対象書類名】明細書
【補正対象項目名】００１７
【補正方法】変更
【補正の内容】
【００１７】
本考案によれば、従来の技術に対して、次の利点が得られ、本考案に係るシート枕は、シート枕の支持棒の下端に固定部材が設けられ、シート枕の支持棒と固定部材とが、高さ調節可能に結合され、固定部材が、シートの背凭れの上端に固定され、シート枕の支持棒の材料が軽量や高強度、耐磨耗、防食、絶縁等に優れ、しかも変形性能を備えるものであるため、人々の頭に応じ調節でき、より快適的になり、また、シート枕の支持棒の材料が軽量や高強度、耐磨耗、防食、絶縁等に優れ、しかも変形性能を備えるものを使用することにより、シート枕は、頭部や頚部に応じて任意角度に変位でき、また、前後左右に変位できるため、快適性が大幅に向上され、頭部や頚部の疲労を緩和できる。
【手続補正４】
【補正対象書類名】明細書
【補正対象項目名】００１９
【補正方法】変更
【補正の内容】
【００１９】
実施例１
図１と図２に示されたシート枕は、シート枕の支持棒１とシート枕の支持棒１の上端に固定結合された支持面２が含まれ、シート枕の支持棒１の下端に、固定部材３が設置され、シート枕の支持棒１と固定部材３とが、高さを調節可能に結合され、固定部材３が、シートの背凭れ９の上端に固定され、シート枕の支持棒１の材料は、軽量や高強度、耐磨耗、防食、絶縁等に優れ、しかも変形性能を備えるもの、例えばＭＣナイロン（登録商標）である。